(57)【要約】【課題】空気が流れる流れ方向から見たフィルタの面積が、ダクトの流路面積に対して大きい構成において、各部位において同様の構成であるフィルタを用いる場合と比して、フィルタの交換頻度を少なくすることである集塵機構、及び画像形成装置を得る。【解決手段】空気が流れる流れ方向から見たフィルタの面積は、ダクトの流路面積と比して大きくされている。そして、流れ方向にダクトの流路をフィルタに投影した投影部の流動抵抗が、投影部と異なる他の部の流動抵抗と比して大きくされている。【選択図】図１
2019013867.tif 000002
【特許請求の範囲】
【請求項１】
空気が流れるダクトと、
前記ダクトを通過した空気が流入する流入口と、前記流入口の開口面積と比して開口面積が大きくされ、流入した空気が流出する流出口とが形成された第一流路部材と、
前記流出口に配置され、空気が流れる流れ方向から見た面積が、前記ダクトの流路面積と比して大きく、一部の流動抵抗と、他の一部の流動抵抗と異なることで、一部を通過する空気の流量と、他の一部を通過する空気の流量とが近づくフィルタと、
を備える集塵機構。
【請求項２】
空気が流れるダクトと、
前記ダクトを通過した空気が流入する流入口と、前記流入口の開口面積と比して開口面積が大きくされ、流入した空気が流出する流出口とが形成された第一流路部材と、
前記流出口に配置され、前記ダクトの内部を流れる空気の流れ方向から見た面積が、前記ダクトの流路面積と比して大きく、前記流れ方向に前記ダクトの流路を投影した投影部の流動抵抗は、前記投影部と異なる他の部の流動抵抗と比して大きいフィルタと、
を備える集塵機構。
【請求項３】
前記フィルタは、蛇腹状に折り曲げられた不織布であって、
前記投影部の単位流路面積当たり表面積は、前記他の部の単位流路面積当たりの表面積と比して小さい請求項２に記載の集塵機構。
【請求項４】
前記フィルタの前記他の部における折り曲げ間隔は、前記投影部における折り曲げ間隔と比して小さい請求項３に記載の集塵機構。
【請求項５】
前記他の部における前記折り曲げ間隔は、前記投影部から離れる程小さい請求項４に記載の集塵機構。
【請求項６】
前記フィルタにおいて、前記流れ方向における前記他の部の折り曲げ部間の長さは、前記流れ方向における前記投影部の折り曲げ部間の長さと比して長い請求項３に記載の集塵機構。
【請求項７】
前記他の部における前記折り曲げ部間の長さは、前記投影部から離れる程長い請求項６に記載の集塵機構。
【請求項８】
前記フィルタは、表裏を貫通する複数の貫通孔を有しており、前記他の部における前記貫通孔の開口率は、前記投影部における前記貫通孔の開口率と比して高い請求項２に記載の集塵機構。
【請求項９】
前記他の部における前記開口率は、前記投影部から離れる程高い請求項８に記載の集塵機構。
【請求項１０】
前記空気の流れ方向において、前記フィルタの下流側に配置され、前記フィルタを通過した空気が流入する入口と、前記入口の開口面積と比して開口面積が小さくされ、流入した空気を流出する出口とが形成された第二流路部材を備え、
前記第一流路部材の流入口と、前記第二流路部材の出口との間に配置された前記フィルタの中間部の流動抵抗が、前記中間部とは異なる部分の流動抵抗と比して大きい請求項１から９の何れか１項に記載の集塵機構。
【請求項１１】
画像を形成する画像形成部と、
前記画像を記録媒体に転写する転写部と、
前記画像形成部、及び前記転写部を内部に収容する収容部と、
前記収容部の内部の集塵する請求項１から１０の何れか１項に記載の集塵機構と、
を備えた画像形成装置。
【発明の詳細な説明】
【技術分野】
【０００１】
本発明は、集塵機構、及び画像形成装置に関する。
【背景技術】
【０００２】
特許文献１に記載の空気清浄機の脱臭フィルタは、粒状吸着剤と粒状熱可塑性樹脂を混合したものを加熱成形した板状成形体に、複数の円形の通風孔が規則的に形成されている部材である。
【先行技術文献】
【特許文献】
【０００３】
【特許文献１】特開２０１０−０６３５２４号公報
【発明の概要】
【発明が解決しようとする課題】
【０００４】
空気中の埃等の異物を除去する構成として、埃等の異物が含まれる空気が内部を流れるダクトと、ダクトに対して空気の流れ方向の下流側に配置されるフィルタ（集塵フィルタ）とを用いたものがある。
【０００５】
フィルタによる異物の集塵量を増やすために、ダクトの流路面積に比して、空気の流れ方向から見たフィルタの面積を大きくすることがある。しかし、このような構成では、ダクトから流出した空気の流量が多いフィルタの部分では、異物の集塵量が多くなるが、フィルタの他の部分では、空気の通過量が多いフィルタの部分と比して異物の集塵量が少ない。
【０００６】
このため、空気の通過量が多いフィルタの部分によって集塵された異物の量が、この部分の集塵限界に達すると、フィルタを交換しなければならない。
【０００７】
本発明の課題は、空気が流れる流れ方向から見たフィルタの面積が、ダクトの流路面積に対して大きい構成において、各部位において同様の構成であるフィルタを用いる場合と比して、フィルタの交換頻度を少なくすることである。
【課題を解決するための手段】
【０００８】
本発明の請求項１に係る集塵機構は、空気が流れるダクトと、前記ダクトを通過した空気が流入する流入口と、前記流入口の開口面積と比して開口面積が大きくされ、流入した空気が流出する流出口とが形成された第一流路部材と、前記流出口に配置され、空気が流れる流れ方向から見た面積が、前記ダクトの流路面積と比して大きく、一部の流動抵抗と、他の一部の流動抵抗と異なることで、一部を通過する空気の流量と、他の一部を通過する空気の流量とが近づくフィルタと、を備えることを特徴とする。
【０００９】
本発明の請求項２に係る集塵機構は、空気が流れるダクトと、前記ダクトを通過した空気が流入する流入口と、前記流入口の開口面積と比して開口面積が大きくされ、流入した空気が流出する流出口とが形成された第一流路部材と、前記流出口に配置され、前記ダクトの内部を流れる空気の流れ方向から見た面積が、前記ダクトの流路面積と比して大きく、前記流れ方向に前記ダクトの流路を投影した投影部の流動抵抗は、前記投影部と異なる他の部の流動抵抗と比して大きいフィルタと、を備えることを特徴とする。
【００１０】
本発明の請求項３に係る集塵機構は、請求項２に記載の集塵機構において、前記フィルタは、蛇腹状に折り曲げられた不織布であって、前記投影部の単位流路面積当たり表面積は、前記他の部の単位流路面積当たりの表面積と比して小さいことを特徴とする。
【００１１】
本発明の請求項４に係る集塵機構は、請求項３に記載の集塵機構において、前記フィルタの前記他の部における折り曲げ間隔は、前記投影部における折り曲げ間隔と比して小さいことを特徴とする。
【００１２】
本発明の請求項５に係る集塵機構は、請求項４に記載の集塵機構において、前記他の部における前記折り曲げ間隔は、前記投影部から離れる程小さいことを特徴とする。
【００１３】
本発明の請求項６に係る集塵機構は、請求項３に記載の集塵機構において、前記フィルタにおいて、前記流れ方向における前記他の部の折り曲げ部間の長さは、前記流れ方向における前記投影部の折り曲げ部間の長さと比して長いことを特徴とする。
【００１４】
本発明の請求項７に係る集塵機構は、請求項６に記載の集塵機構において、前記他の部における前記折り曲げ部間の長さは、前記投影部から離れる程長いことを特徴とする。
【００１５】
本発明の請求項８に係る集塵機構は、請求項２に記載の集塵機構において、前記フィルタは、表裏を貫通する複数の貫通孔を有しており、前記他の部における前記貫通孔の開口率は、前記投影部における前記貫通孔の開口率と比して高いことを特徴とする。
【００１６】
本発明の請求項９に係る集塵機構は、請求項８に記載の集塵機構において、前記他の部における前記開口率は、前記投影部から離れる程高いことを特徴とする。
【００１７】
本発明の請求項１０に係る集塵機構は、請求項１から９の何れか１項に記載の集塵機構において、前記空気の流れ方向において、前記フィルタの下流側に配置され、前記フィルタを通過した空気が流入する入口と、前記入口の開口面積と比して開口面積が小さくされ、流入した空気を流出する出口とが形成された第二流路部材を備え、前記第一流路部材の流入口と、前記第二流路部材の出口との間に配置された前記フィルタの中間部の流動抵抗が、前記中間部とは異なる部分の流動抵抗と比して大きいことを特徴とする。
【００１８】
本発明の請求項１１に係る画像形成装置は、画像を形成する画像形成部と、前記画像を記録媒体に転写する転写部と、前記画像形成部、及び前記転写部を内部に収容する収容部と、前記収容部の内部の集塵する請求項１から１０の何れか１項に記載の集塵機構と、を備えたことを特徴とする。
【発明の効果】
【００１９】
本発明の請求項１の集塵機構によれば、空気が流れる流れ方向から見たフィルタの面積が、ダクトの流路面積に対して大きい構成において、各部位において同様の構成であるフィルタを用いる場合と比して、フィルタの交換頻度を少なくすることができる。
【００２０】
本発明の請求項２の集塵機構によれば、空気が流れる流れ方向から見たフィルタの面積が、ダクトの流路面積に対して大きい構成において、各部位において同様の構成であるフィルタを用いる場合と比して、フィルタの交換頻度を少なくすることができる。
【００２１】
本発明の請求項３の集塵機構によれば、投影部の単位流路面積当たりのフィルタの表面積と、他の部の単位流路面積当たりのフィルタの表面積とが同様の場合と比して、フィルタの交換頻度を少なくすることができる。
【００２２】
本発明の請求項４の集塵機構によれば、フィルタの折り曲げ部間の長さが同様で、かつ、投影部における折り曲げ間隔と、他の部における折り曲げ間隔とが同様の場合と比して、フィルタの交換頻度を少なくすることができる。
【００２３】
本発明の請求項５の集塵機構によれば、他の部の折り曲げ間隔が、投影部からの距離に係わらず一定の場合と比して、フィルタの交換頻度を少なくすることができる。
【００２４】
本発明の請求項６の集塵機構によれば、フィルタの折り曲げ間隔が同様で、かつ、他の部における折り曲げ部間の長さと、投影部における折り曲げ部間の長さとが同様の場合と比して、フィルタの交換頻度を少なくすることができる。
【００２５】
本発明の請求項７の集塵機構によれば、他の部における折り曲げ部間の長さが、投影部からの距離に係わらず一定の場合と比して、フィルタの交換頻度を少なくすることができる。
【００２６】
本発明の請求項８の集塵機構によれば、他の部における貫通孔の開口率と、投影部における貫通孔の開口率とが同様の場合と比して、フィルタの交換頻度を少なくすることができる。
【００２７】
本発明の請求項９の集塵機構によれば、貫通孔の開口率が、投影部からの距離に係わらず一定の場合と比して、フィルタの交換頻度を少なくすることができる。
【００２８】
本発明の請求項１０の集塵機構によれば、第一流路部材の流入口と、第二流路部材の出口との間に配置されたフィルタの中間部の流動抵抗と、中間部とは異なる部分の流動抵抗とが同様の場合と比して、フィルタの交換頻度を少なくすることができる。
【００２９】
本発明の請求項１１の画像形成装置によれば、請求項１から９の何れか１項に記載の集塵機構を備えていない場合と比して、一枚のフィルタで、装置内の異物の集塵量を多くすることができる。
【図面の簡単な説明】
【００３０】
【図１】本発明の第１実施形態に係る集塵機構を示した断面図である。
【図２】本発明の第１実施形態に係る集塵機構を示した斜視図である。
【図３】本発明の第１実施形態に係る集塵機構を示した斜視図である。
【図４】本発明の第１実施形態に係る画像形成装置の冷却部、及び集塵機構を示した斜視図である。
【図５】本発明の第１実施形態に係る画像形成装置の冷却部を示した斜視図である。
【図６】本発明の第１実施形態に係る画像形成装置の冷却部、定着部、及び矯正部等を示した斜視図である。
【図７】本発明の第１実施形態に係る画像形成装置の冷却部、定着部、及び矯正部等を示した正面図である。
【図８】本発明の第１実施形態に係る画像形成装置のトナー画像形成部を示した構成図である。
【図９】本発明の第１実施形態に係る画像形成装置を示した概略構成図である。
【図１０】本発明の第１実施形態に係る集塵機構に対する比較形態に係る集塵機構を示した断面図である。
【図１１】本発明の第２実施形態に係る集塵機構を示した断面図である。
【図１２】本発明の第３実施形態に係る集塵機構を示した断面図である。
【図１３】本発明の第４実施形態に係る集塵機構を示した断面図である。
【図１４】本発明の第５実施形態に係る集塵機構を示した斜視図である。
【図１５】本発明の第６実施形態に係る集塵機構を示した断面図である。
【発明を実施するための形態】
【００３１】
＜第１実施形態＞
本発明の第１実施形態に係る集塵機構、及び画像形成装置の一例について図１〜図１０に従って説明する。なお、各図に示す矢印Ｈは、鉛直方向であって装置上下方向を示し、矢印Ｗは、水平方向であって装置幅方向を示し、矢印Ｄは、水平方向であって装置奥行方向を示す。
【００３２】
（全体構成）
画像形成装置１０は、図９に示されるように、原稿画像を読み取る原稿読取部２４と、電子写真方式により画像を形成する画像形成部１２と、記録媒体の一例としてのシート部材Ｐをシート部材Ｐの搬送経路２８に沿って搬送する複数の搬送ロール（符号省略）を有する搬送部１６と、を備えている。
【００３３】
また、画像形成装置１０は、シート部材Ｐに転写された画像をシート部材Ｐに定着する定着部１８と、シート部材Ｐの湾曲を矯正する矯正部２２と、矯正部２２、及び定着部１８に空気を吹きかけ冷却する冷却部２０とを備えている。さらに、画像形成装置１０は、冷却部２０によって矯正部２２、及び定着部１８に吹きかけられた空気に含まれる埃等の異物を集塵する集塵機構８０（図４参照）を備えている。なお、冷却部２０、及び集塵機構８０については、詳細を後述する。
【００３４】
さらに、画像形成装置１０は、シート部材Ｐの両面に画像を形成させるために、表面に画像が形成されたシート部材Ｐを反転させて再度画像形成部１２へ向けて搬送するための反転経路２６を備えている。
【００３５】
〔画像形成部１２〕
画像形成部１２は、図９に示されるように、各色のトナー画像を夫々形成する複数のトナー画像形成部３０と、トナー画像を保持する転写ベルト５０と、トナー画像をシート部材Ｐに転写する転写部３２とを備えている。さらに、画像形成部１２は、各色のトナーを夫々収容すると共に、装置幅方向に並んでいるトナーカートリッジ３４を備えている。
【００３６】
トナー画像形成部３０は、色ごとにトナー画像を形成するように複数備えられている。本実施形態では、イエロー（Ｙ）、マゼンタ（Ｍ）、シアン（Ｃ）、ブラック（Ｋ）の計４色のトナー画像形成部３０が備えられている。図９に示す（Ｙ）、（Ｍ）、（Ｃ）、（Ｋ）は、上記各色を示している。
【００３７】
各色のトナー画像形成部３０は、用いるトナーを除き基本的に同様の構成とされており、図８に示されるように、回転する円筒状の像保持体４０と、像保持体４０を帯電する帯電器４２とを備えている。さらに、トナー画像形成部３０は、帯電した像保持体４０に露光光を照射して静電潜像を形成する露光装置４４と、トナーを含んだ現像剤Ｇで静電潜像をトナー画像として現像する現像装置４６とを備えている。
【００３８】
また、各色の像保持体４０は、接地されており、周回移動する転写ベルト５０に接触している。そして、図９に示されるように、転写ベルト５０の周回方向（図中矢印Ａ参照）において、上流側からイエロー（Ｙ）、マゼンタ（Ｍ）、シアン（Ｃ）、及びブラック（Ｋ）のトナー画像形成部３０が、この順番で水平方向に並んで配置されている。
【００３９】
転写部３２は、各色の像保持体４０に形成されたトナー画像を転写ベルト５０に転写する一次転写ロール５２と、転写ベルト５０に転写されたトナー画像をシート部材Ｐに転写する二次転写ロール５４とを備えている。
【００４０】
〔収容部１４〕
収容部１４は、画像形成部１２の下方に配置されている。そして、収容部１４は、シート部材Ｐが積載される２個の積載部材１４Ａと、積載部材１４Ａに積載された最上位のシート部材Ｐを搬送経路２８へ送り出す送出ロール１４Ｂとを備えている。
【００４１】
〔搬送部１６〕
搬送部１６は、送出ロール１４Ｂによって送り出されたシート部材Ｐを、シート部材Ｐを搬送する搬送経路２８に沿って搬送する複数の搬送ロール（符号省略）を備えている。
【００４２】
搬送経路２８は、収容部の一例である装置本体１０Ａの内部において装置幅方向の一方側（図中左側）で、上下方向に延びる第一路２８Ａと、装置幅方向の一方側から他方向側へ、装置幅方向に延びる第二路２８Ｂとを有している。そして、送出ロール１４Ｂによって送り出されたシート部材Ｐは、第一路２８Ａを通った後、第二路２８Ｂを通って装置本体１０Ａに形成された排紙口５６から装置本体１０Ａの外部に排出されるようになっている。
【００４３】
さらに、搬送部１６は、第二路２８Ｂを搬送されるシート部材Ｐを、上下方向から挟んで、シート部材Ｐを搬送方向（以下「シート搬送方向」）の下流側に案内する一対の案内板４８を備えている。具体的には、第二路２８Ｂに対して上方に配置されているのが案内板４８Ａで、第二路２８Ｂに対して下方に配置されているのが案内板４８Ｂである。
【００４４】
〔定着部１８・矯正部２２〕
定着部１８は、第一路２８Ａに沿って、かつ、シート搬送方向において一次転写ロール５２の下流側に配置されている。そして、定着部１８は、シート部材Ｐに転写されたトナー画像を加熱する加熱ロール１８Ａと、加熱ロール１８Ａと接触して従動回転（周回）することで加熱ロール１８Ａとの間でシート部材Ｐを挟みながら搬送する加圧ロール１８Ｂとを備えている。
【００４５】
矯正部２２は、第一路２８Ａに沿って、かつ、シート搬送方向において定着部１８の下流側に配置されている。そして、矯正部２２は、軸方向に径寸法が変化する矯正ロール２２Ａと、矯正ロール２２Ａに搬送されるシート部材Ｐを押し付ける押付ロール２２Ｂとを備えている。
【００４６】
（全体構成の作用）
画像形成装置１０では、次のようにして画像が形成される。
【００４７】
先ず、電圧が印加された各色の帯電器４２（図８参照）は、各色の像保持体４０の表面を予定の電位で一様にマイナス帯電する。続いて、原稿読取部２４（図９参照）によって読み取られた画像データに基づいて各色の露光装置４４は、帯電した各色の像保持体４０の表面に露光光を照射して静電潜像を形成する。
【００４８】
これにより、データに対応した静電潜像が各色の像保持体４０の表面に夫々形成される。さらに、各色の現像装置４６は、この静電潜像を現像し、トナー画像として可視化する。また、各色の像保持体４０の表面に形成されたトナー画像は、一次転写ロール５２によって転写ベルト５０に順番に転写される。
【００４９】
そこで、収容部１４から送出ロール１４Ｂによって搬送経路２８へ送り出されたシート部材Ｐは、転写ベルト５０と二次転写ロール５４とが接触する転写位置Ｔへ送り出される。転写位置Ｔでは、シート部材Ｐが転写ベルト５０と二次転写ロール５４との間で搬送されることで、転写ベルト５０のトナー画像は、シート部材Ｐに転写される。
【００５０】
また、シート部材Ｐに転写されたトナー画像が、定着部１８によってシート部材Ｐに定着される。さらに、トナー画像が定着したシート部材Ｐは、矯正部２２によって湾曲（カール）が矯正される。そして、シート部材Ｐは、装置本体１０Ａの外部へ排出される。
【００５１】
一方、シート部材Ｐの裏面に画像を形成する場合に、表面に画像が形成されたシート部材Ｐが反転経路２６に沿って搬送され、再度画像形成部１２でシート部材Ｐの裏面に画像が形成される。
【００５２】
（要部構成）
次に、矯正部２２及び定着部１８を冷却する冷却部２０、及び集塵機構８０について説明する。
【００５３】
〔冷却部２０〕
冷却部２０は、図７に示されるように、矯正部２２に対して装置幅方向の他方側（図中右側）に配置されている冷却ファン５８と、排紙口５６から冷却ファン５８まで空気を導くガイド板６２とを備えている。さらに、冷却部２０は、冷却ファン５８から排出された空気を矯正部２２、及び定着部１８へ流した後、後述する第一ダクト８２へ導くガイド機構６４を備えている。
【００５４】
−ガイド板６２・冷却ファン５８−
ガイド板６２は、装置幅方向に並んでいるトナーカートリッジ３４の上方に配置されている。そして、ガイド板６２において装置幅方向の一端側の部分には、装置奥行方向から見て、下方側に湾曲している湾曲部６２Ａが形成されている。この湾曲部６２Ａは、装置幅方向において、矯正部２２と対向している。
【００５５】
冷却ファン５８は、複数配置されており、図６、図７に示されるように、装置幅方向において、矯正部２２と、ガイド板６２の湾曲部６２Ａとの間に配置されている。さらに、複数の冷却ファン５８は、装置奥行方向に並んでいる。
【００５６】
この構成において、冷却ファン５８を稼動させると、図７に示されるように、排紙口５６から装置本体１０Ａの内部に空気が流入する（図中矢印Ｆ１参照）。そして、装置本体１０Ａの内部に流入した空気は、案内板４８Ｂとガイド板６２との間を流れた後、ガイド板６２の湾曲部６２Ａに沿って流れて冷却ファン５８に吸い込まれる。
【００５７】
−ガイド機構６４−
ガイド機構６４は、冷却ファン５８から吸い出された空気を矯正部２２へ導く一対のガイド板６６Ａ、６６Ｂと、矯正部２２から定着部１８へ空気を導くガイド板６８とを備えている。さらに、ガイド機構６４は、定着部１８から後述する第一ダクト８２へ空気を導くガイド板７０、及びガイド板７２を備えている。
【００５８】
冷却ファン５８から矯正部２２へ空気を導くガイド板６６Ａは、冷却ファン５８の上方側から矯正部２２の矯正ロール２２Ａの上方側まで延びている。また、ガイド板６６Ｂは、冷却ファン５８の下方側から矯正部２２の矯正ロール２２Ａの下方側まで延びている。
【００５９】
さらに、定着部１８へ空気を導くガイド板６８は、装置奥行方向から見て、矯正ロール２２Ａ側が開口したハット形状とされており、内部に矯正部２２の押付ロール２２Ｂが配置されている。そして、ガイド板６８とガイド板６６Ｂとの間には、隙間が形成されており、この隙間から空気が、定着部１８側へ流れるようになっている。
【００６０】
さらに、第一ダクト８２へ空気を導くガイド板７０は、装置奥行方向から見て、加熱ロール１８Ａ側が開口したハット形状とされており、内部に定着部１８の加圧ロール１８Ｂが配置されている。そして、ガイド板７０は、装置奥行方向に延びている。
【００６１】
また、ガイド板７２は、装置幅方向において、定着部１８を挟んで、ガイド板７０の反対側に配置されており、装置奥行方向に延びている。そして、ガイド板７２は、装置奥行方向から見て、Ｌ字状とされており、板面が装置幅方向を向いた縦板７２Ａと、縦板７２Ａの下端から装置幅方向の一方側（図中左側）に延びて板面が装置上下方向を向いた横板７２Ｂとを有している。さらに、ガイド板７０の縦板７２Ａには、図５に示されるように、複数の貫通孔７４が形成されている。
【００６２】
この構成において、冷却ファン５８から排出された空気は、図７に示されるように、ガイド板６６Ａ、６６Ｂによって矯正部２２へ導かれる（図中矢印Ｆ２参照）。さらに、矯正部２２に導かれた空気は、ガイド板６８によって流れ方向が変えられ、ガイド板６８とガイド板６６Ｂとの間から定着部１８側へ導かれる（図中矢印Ｆ３参照）。また、定着部１８に導かれた空気は、ガイド板７０によって流れが変えられ、ガイド板７２側に導かれる（図中矢印Ｆ４参照）。
【００６３】
ガイド板７２側に導かれた空気の一部は、ガイド板７２の縦板７２Ａに形成された貫通孔７４（図５参照）を通って縦板７２Ａの裏面側へ流れる。また、ガイド板７２側に導かれた空気の他の一部は、ガイド板７２の横板７２Ｂによって流れ方向が変えられ後、縦板７２Ａに形成された貫通孔７４（図５参照）を通って縦板７２Ａの裏面側へ流れる。詳細は後述するが、第一ダクト８２は、縦板７２Ａの裏面側に配置されている。
【００６４】
〔集塵機構８０〕
集塵機構８０は、図４に示されるように、ガイド機構６４によって導かれた空気が流れ込む第一ダクト８２と、第二ダクト８６と、空気に含まれる埃等の異物を集塵するフィルタ９０と、装置本体１０Ａ（図１参照）の外部に空気を排出する排出ファン９８とを備えている。さらに、集塵機構８０は、第二ダクト８６とフィルタ９０との間に配置された第一流路部材１０２と、フィルタ９０と排出ファン９８との間に配置された第二流路部材１１０とを備えている。
【００６５】
−第一ダクト８２−
第一ダクト８２は、図４、図５に示されるように、ガイド板７２の縦板７２Ａを含んで形成されており、装置奥行方向に延びている。これにより、第一ダクト８２の定着部１８側には、貫通孔７４が形成されている。また、第一ダクト８２の装置奥行方向の手前側の部分は、閉止され、第一ダクト８２の装置奥行方向の奥側の部分は、開放されている。
【００６６】
この構成において、第一ダクト８２は、定着部１８側からガイド板７２の縦板７２Ａの貫通孔７４を通った空気を装置奥行の奥側へ導く。
【００６７】
−第二ダクト８６−
第二ダクト８６は、図４に示されるように、第一ダクト８２の装置奥行方向の奥側に接続されており、装置奥行方向に延びている。そして、第二ダクト８６の断面は、図２に示されるように、装置上下方向に延びる矩形状とされている。第二ダクト８６は、ダクトの一例である。
【００６８】
この構成において、第二ダクト８６は、第一ダクト８２において装置奥行方向の奥側の端部から流出した空気を、さらに、装置奥行方向の奥側に導く。
【００６９】
−第一流路部材１０２−
第一流路部材１０２は、図１、図２に示されるように、第二ダクト８６において、第二ダクト８６の内部を流れる空気の流れ方向（以下「空気流れ方向」）の下流端に接続されている。本実施形態では、空気流れ方向は、装置奥行方向と同様の方向である。
【００７０】
そして、第一流路部材１０２には、第二ダクト８６から流出した空気が流入する流入口１０２Ａと、流入した空気を流出する流出口１０２Ｂとが形成されている。流入口１０２の開口面積は、第二ダクト８６の流路面積と同様とされておいる。また、流出口１０２Ｂの開口面積は、流入口１０２Ａの開口面積と比して大きくされている。そして、第一流路部材１０２において流入口１０２Ａと流出口１０２Ｂとを繋ぐ部分の流路断面は、流入口１０２Ａから流出口１０２Ｂまで徐々に大きくなるように変化している。
【００７１】
本実施形態では、第一流路部材１０２の装置上下方向の寸法は、第二ダクト８６の装置上下方向の寸法と同様とされている。さらに、装置奥行方向（空気流れ方向）から見て、流出口１０２Ｂは、流入口１０２Ａと比して、装置幅方向の他方側に拡張されている。
【００７２】
−第二流路部材１１０−
第二流路部材１１０は、図１、図２に示されるように、第一流路部材１０２において、装置奥行方向の下流端に接続されている。具体的には、第二流路部材１１０は、第一流路部材１０２の流出口１０２Ｂに接続されている。
【００７３】
そして、第二流路部材１１０には、第一流路部材１０２の流出口１０２Ｂから流出した空気が流入する流入口１１０Ａと、流入した空気を流出する流出口１１０Ｂとが形成されている。流入口１１０Ａの開口面積は、流出口１０２Ｂの開口面積と同様とされている。また、流出口１１０Ｂの開口面積は、流入口１１０Ａの開口面積と比して小さくされている。そして、第二流路部材１１０において流入口１１０Ａと流出口１１０Ｂとを繋ぐ部分の流路断面は、流入口１１０Ａから流出口１１０Ｂまで徐々に小さくなるように変化している。流入口１１０Ａは、入口の一例で、流出口１１０Ｂは、出口の一例である。
【００７４】
本実施形態では、第二流路部材１１０の装置上下方向の寸法は、第二ダクト８６の装置上下方向の寸法と同様とされている。また、装置奥行方向（空気流れ方向）から見て、流出口１１０Ｂは、流入口１１０Ａと比して、装置幅方向の一方側に縮小されている。さらに、第二流路部材１１０の流出口１１０Ｂは、第一流路部材１０２の流入口１０２Ａと装置奥行方向で対向している。そして、第二流路部材１１０の流出口１１０Ｂの開口面積は、第一流路部材１０２の流入口１０２Ａの開口面積と同様とされている。
【００７５】
−排出ファン９８−
排出ファン９８は、図１、図２に示されるように、第二流路部材１１０の流出口１１０Ｂに接続されており、装置本体１０Ａの壁板３８に形成された貫通孔３８Ａの縁部に取り付けられている。そして、排出ファン９８は、第一ダクト８２、第二ダクト８６、第一流路部材１０２、及び第二流路部材１１０を流れた空気を装置本体１０Ａの外部に排出するようになっている。
【００７６】
−フィルタ９０−
フィルタ９０は、図１、図３に示されるように、第一流路部材１０２の流出口１０２Ｂを塞ぐように配置されている。これにより、装置奥行方向（空気流れ方向）から見たフィルタ９０の面積は、第二ダクト８６の流路面積と比して大きくされている。
【００７７】
本実施形態では、フィルタ９０は、上方から見て蛇腹状に形成されており、装置幅方向に延びている。このフィルタ９０は、シート状の不織布を蛇腹状に折り曲げることで形成されている。
【００７８】
そして、フィルタ９０において隣り合う折り曲げ部の装置奥行方向（空気流れ方向）の折り曲げ部間の長さ（図１の長さＴ１）は、各部で同様とされている。ここで、「フィルタ９０の折り曲げ部間の長さ」とは、隣り合う折り曲げ部の装置奥行方向（空気流れ方向）の長さ（距離）である。
【００７９】
また、装置奥行方向に第二ダクト８６の流路をフィルタ９０に投影したフィルタ９０の部分を投影部９０Ａとし、投影部９０Ａとは異なるフィルタ９０の部分を他の部９０Ｂとする。そうすると、他の部９０Ｂにおける折り曲げ間隔（図１の間隔Ｐ１）は、投影部９０Ａにおける折り曲げ間隔と比して小さくなっている。
【００８０】
換言すれば、投影部９０Ａの単位流路面積当たりのフィルタ９０の表面積は、他の部９０Ｂの単位流路面積当たりのフィルタ９０の表面積と比して小さくされている。つまり、フィルタ９０の投影部９０Ａの流動抵抗は、フィルタ９０において投影部９０Ａと異なる他の部９０Ｂの流動抵抗と比して大きくなっている。ここで、「流動抵抗」とは、単位流量当たりの空気が、単位流路面積当たりのフィルタ９０の部分を通過する際のエネルギー損失である。つまり、流動抵抗が小さい部分は、流動抵抗が大きい部分と比して、空気がフィルタ９０を容易に通過するようになっている。
【００８１】
具体的には、他の部９０Ｂから最も離れた投影部９０Ａの一端（図中Ｅ）から、投影部９０Ａから最も離れた他の部９０Ｂの他端（図中Ｆ）まで、フィルタ９０の折り曲げ間隔は、徐々に小さくなっている。つまり、他の部９０Ｂのフィルタ９０の折り曲げ間隔は、投影部９０Ａから離れる程小さくなっている。
【００８２】
ここで、「フィルタ９０の折り曲げ間隔」とは、フィルタ９０において隣り合う山折り部間、又は隣り合う谷折り部間の装置幅方向（フィルタ９０が延びている方向）における距離である。
【００８３】
また、「フィルタ９０の投影部９０Ａ」とは、第二ダクト８６の流路を、空気の流れ方向（本実施形態では、装置奥行方向）にフィルタ９０に投影した場合に、流路が投影されたフィルタ９０の部分である。
【００８４】
さらに、「単位流路面積」とは、空気流れ方向から見たフィルタ９０の単位面積である。
【００８５】
また、第一流路部材１０２の流入口１０２Ａと、第二流路部材１１０の流出口１１０Ｂとの間に配置されたフィルタ９０の中間部の流動抵抗が、中間部とは異なる部分の流動抵抗と比して大きくなっている。
【００８６】
ここで、「中間部」とは、第一流路部材１０２の流入口１０２Ａの各辺と、第二流路部材１１０の流出口１１０Ｂの各辺とを繋いだ直線の内部に配置されているフィルタ９０の部分である。つまり、第１実施形態では、フィルタ９０の中間部と、投影部９０Ａは、同様の部分である。
【００８７】
（要部構成の作用）
次に、集塵機構８０の作用について、比較形態に係る集塵機構５８０と比較しつつ説明する。先ず、比較形態に係る集塵機構５８０の構成について、集塵機構８０と異なる部分を主に説明する。
【００８８】
−集塵機構５８０の構成−
集塵機構５８０に備えられたフィルタ５９０は、図１０に示されるように、各部位において同様の構成とされている。具体的には、フィルタ５９０における折り曲げ間隔（図１０の間隔Ｐ２）は、各部で同様とされている。また、フィルタ５９０の折り曲げ数は、フィルタ９０（図１参照）の折り曲げ数と同様とされている。さらに、フィルタ５９０の表面積は、フィルタ９０の表面積と同様とされている。
【００８９】
これにより、フィルタ５９０の流動抵抗は、各部で同様とされている。つまり、フィルタ５９０において投影部５９０Ａの流動抵抗と、フィルタ５９０において投影部５９０Ａとは異なる他の部５９０Ｂの流動抵抗とは、同様とされている。
【００９０】
−集塵機構８０・集塵機構５８０の作用−
排出ファン９８を稼動させると、図５、図７に示す第一ダクト８２は、定着部１８側からガイド板７２の縦板７２Ａの貫通孔７４を通った空気を装置奥行方向の奥側へ導く。
【００９１】
第二ダクト８６は、図２、図４に示されるように、第一ダクト８２において装置奥行方向の奥側から流出された空気を、さらに、装置奥行方向の奥側に導く。第一流路部材１０２は、第二ダクト８６から流出した空気を、流入口１０２Ａから、開口面積が流入口１０２Ａと比して大きい流出口１１０Ｂまで導く。
【００９２】
ここで、集塵機構５８０を用いた場合は、図１０に示されるように、フィルタ５９０における折り曲げ間隔Ｐ２は、各部で同様とされている。つまり、前述したように、フィルタ５９０の流動抵抗は、各部で同様とされている。
【００９３】
このため、単位流路面積当たりの空気の通過量については、第二ダクト８６を流れた空気が流れ方向を変えずにフィルタ５９０に当たる投影部５９０Ａが、投影部５９０Ａとは異なる他の部５９０Ｂと比して多くなる。これにより、単位流路面積当たりの異物の集塵量については、投影部５９０Ａが、投影部５９０Ａとは異なる他の部５９０Ｂと比して多くなる。このため、投影部５９０Ａによって集塵された異物の量が、集塵限界に達すると、フィルタ５９０の集塵能力が低下して、フィルタ５９０を交換しければならない。
【００９４】
これに対して、集塵機構８０を用いた場合は、図１に示されるように、他の部９０Ｂにおける折り曲げ間隔（図１の間隔Ｐ１）は、投影部９０Ａにおける折り曲げ間隔と比して小さくなっている。つまり、投影部９０Ａの流動抵抗は、他の部９０Ｂにおける流動抵抗と比して大きくなっている。
【００９５】
このため、単位流路面積当たりの空気の通過量について、フィルタ９０の投影部９０Ａと、投影部９０Ａとは異なる他の部９０Ｂとの差は、集塵機構５８０を用いた場合と比して小さくなる。換言すれば、単位流路面積当たりの異物の集塵量について、投影部９０Ａと、投影部９０Ａとは異なる他の部９０Ｂとの差は、集塵機構５８０を用いる場合と比して小さくなる。
【００９６】
すなわち、未使用のフィルタ９０では、投影部９０Ａ（一部）の流動抵抗と、他の部９０Ｂ（他の一部）の流動抵抗とが変えられることで、投影部９０Ａを通過する空気の流量と、他の部９０Ｂを通過する空気の流量とが近づく。つまり、投影部９０Ａを通過する空気の流量と、他の部９０Ｂを通過する空気の流量との比の値は、投影部９０Ａの流動抵抗と、他の部９０Ｂの流動抵抗との比の値と比して、１に近い値となる。
【００９７】
（まとめ）
以上説明したように、単位流路面積当たりの異物の集塵量について、投影部９０Ａと、投影部９０Ａとは異なる他の部９０Ｂとの差は、集塵機構５８０を用いた場合と比して小さくなる。このため、集塵機構８０では、集塵機構５８０を用いる場合と比して、フィルタ９０の交換頻度が少なくなる。換言すれば、集塵機構８０では、集塵機構５８０を用いる場合と比して、フィルタ９０の寿命が延びる。
【００９８】
具体的には、集塵機構８０によれば、投影部９０Ａの単位流路面積当たりのフィルタの表面積と、他の部９０Ｂの単位流路面積当たりのフィルタの表面積とが同様の場合と比して、フィルタの交換頻度が少なくなる。
【００９９】
また、集塵機構８０によれば、フィルタの折り曲げ部間の長さが同様で、かつ、投影部９０Ａにおける折り曲げ間隔と、他の部９０Ｂにおける折り曲げ間隔とが同様の場合と比して、フィルタの交換頻度が少なくなる。
【０１００】
また、集塵機構８０によれば、他の部９０Ｂの折り曲げ間隔が、投影部９０Ａからの距離に係わらず一定の場合と比して、フィルタの交換頻度が少なくなる。
【０１０１】
また、画像形成装置１０においては、矯正部２２、及び定着部１８で生じた微粒子粉塵（ＵＦＰ：Ｕｌｔｒａｆｉｎｅ  ｐａｒｔｉｃｌｅｓ）等の装置内の異物の集塵量が、一枚のフィルタで、集塵機構５８０を用いる場合と比して、多くなる。
【０１０２】
＜第２実施形態＞
次に、本発明の第２実施形態に係る集塵機構、及び画像形成装置の一例について図１１に従って説明する。なお、第２実施形態については、第１実施形態と異なる部分を主に説明する。
【０１０３】
図１１に示されるように、フィルタ１４０における折り曲げ間隔（図１の間隔Ｐ３）は、各部で同様とされている。また、装置奥行方向に第二ダクト８６の流路をフィルタ１４０に投影したフィルタ１４０の部分を投影部１４０Ａとし、投影部１４０Ａとは異なるフィルタ１４０の部分を他の部１４０Ｂとする。そうすると、他の部１４０Ｂの折り曲げ部間の長さ（図１１の長さＴ２）は、投影部１４０Ａの折り曲げ部間の長さと比して長くなっている。
【０１０４】
換言すれば、投影部１４０Ａの単位流路面積当たりのフィルタ１４０の表面積は、他の部１４０Ｂの単位流路面積当たりのフィルタ１４０の表面積と比して小さくされている。つまり、フィルタ１４０の投影部１４０Ａの流動抵抗は、フィルタ１４０において投影部１４０Ａと異なる他の部１４０Ｂの流動抵抗と比して大きくなっている。
【０１０５】
具体的には、他の部１４０Ｂから最も離れた投影部１４０Ａの一端（図中Ｇ）から、投影部１４０Ａから最も離れた他の部１４０Ｂの他端（図中Ｈ）まで、フィルタ１４０の折り曲げ部間の長さは、徐々に長くなっている。つまり、他の部１４０Ｂのフィルタ１４０の折り曲げ部間の長さは、投影部１４０Ａから離れる程長くなっている。
【０１０６】
これにより、集塵機構１３０では、集塵機構５８０を用いる場合と比して、フィルタ９０の交換頻度が少なくなる。
【０１０７】
具体的には、集塵機構１３０によれば、投影部１４０Ａの単位流路面積当たりのフィルタの表面積と、他の部１４０Ｂの単位流路面積当たりのフィルタの表面積とが同様の場合と比して、フィルタの交換頻度が少なくなる。
【０１０８】
また、集塵機構１３０によれば、フィルタの折り曲げ間隔が同様で、かつ、他の部１４０Ｂにおける折り曲げ部間の長さと、投影部１４０Ａにおける折り曲げ部間の長さとが同様の場合と比して、フィルタの交換頻度が少なくなる。
【０１０９】
また、集塵機構１３０によれば、他の部１４０Ｂにおける折り曲げ部間の長さが、投影部１４０Ａからの距離に係わらず一定の場合と比して、フィルタの交換頻度が少なくなる。
【０１１０】
なお、第２実施形態の画像形成装置の作用については、第１実施形態の作用と同様である。
【０１１１】
＜第３実施形態＞
次に、本発明の第３実施形態に係る集塵機構、及び画像形成装置の一例について図１２に従って説明する。なお、第３実施形態については、第１実施形態と異なる部分を主に説明する。
【０１１２】
図１２に示されるように、第３実施形態に係る集塵機構１８０は、第二流路部材１１０を備えていない。また、装置本体１０Ａの壁板１３８には、第一流路部材１０２の流出口１０２Ｂの開口面積と同様の開口面積の貫通孔１３８Ａが形成されている。そして、貫通孔１３８Ａには、複数の桟１４２が配置されている。
【０１１３】
さらに、集塵機構１８０は、第一流路部材１０２の流出口１０２Ｂと壁板１３８の貫通孔１３８Ａとを繋ぐ中間部材１８２を備えている。また、排出ファン９８は、第二ダクト８６と第一流路部材１０２との間に配置されている。
【０１１４】
なお、第３実施形態の作用については、第１実施形態の作用と同様である。
【０１１５】
＜第４実施形態＞
次に、本発明の第４実施形態に係る集塵機構、及び画像形成装置の一例について図１３に従って説明する。なお、第４実施形態については、第１実施形態と異なる部分を主に説明する。
【０１１６】
図１３に示されるように、第４実施形態の集塵機構２３０の第一流路部材２５２には、第二ダクト８６からの空気が流入する流入口２５２Ａと、空気を流出する流出口２５２Ｂとが形成されている。そして、装置奥行方向（空気流れ方向）から見て、流出口２５２Ｂは、流入口２５２Ａと比して、装置幅方向の一方側、及び他方側に拡張されている。
【０１１７】
また、集塵機構２３０の第二流路部材２６０には、第一流路部材２５２の流出口２５２Ｂからの空気が流入する流入口２６０Ａと、空気を流出する流出口２６０Ｂとが形成されている。そして、装置奥行方向（空気流れ方向）から見て、流出口２６０Ｂは、流入口２６０Ａと比して、装置幅方向の一方側、及び他方側に縮小されている。流入口２６０Ａは、入口の一例であり、流出口２６０Ｂは、出口の一例である。
【０１１８】
また、装置奥行方向に第二ダクト８６の流路をフィルタ２４０に投影したフィルタ２４０の部分を投影部２４０Ａとし、投影部２４０Ａとは異なるフィルタ２４０の部分を他の部２４０Ｂとする。そうすると、他の部２４０Ｂにおける折り曲げ間隔（図１の間隔Ｐ４）は、投影部２４０Ａにおける折り曲げ間隔と比して小さくなっている。
【０１１９】
換言すれば、投影部２４０Ａの単位流路面積当たりのフィルタ２４０の表面積は、他の部２４０Ｂの単位流路面積当たりのフィルタ９０の表面積と比して小さくされている。つまり、フィルタ２４０の投影部２４０Ａの流動抵抗は、フィルタ２４０において投影部２４０Ａと異なる他の部２４０Ｂの流動抵抗と比して大きくなっている。
【０１２０】
具体的には、投影部２４０Ａにおいて装置幅方向の中央部（図中Ｊ）から、投影部２４０Ａから最も離れた他の部２４０Ｂの両端（図中Ｋ）まで、フィルタ２４０の折り曲げ間隔は、徐々に小さくなっている。つまり、他の部２４０Ｂのフィルタ２４０の折り曲げ間隔は、投影部２４０Ａから離れる程小さくなっている。
【０１２１】
なお、第４実施形態の作用については、第１実施形態の作用と同様である。
【０１２２】
＜第５実施形態＞
次に、本発明の第５実施形態に係る集塵機構、及び画像形成装置の一例について図１４に従って説明する。なお、第５実施形態については、第１実施形態と異なる部分を主に説明する。
【０１２３】
図１４に示されるように、第５実施形態に係る集塵機構２８０のフィルタ２９０は、所謂ハニカムフィルタであって、フィルタ２９０には、表裏を貫通する複数の貫通孔（符号省略）が全体的に形成されている。そして、貫通孔の面積は、装置幅方向の位置によって異なっている。
【０１２４】
具体的には、装置奥行方向に第二ダクト８６の流路をフィルタ２９０に投影したフィルタ２９０の部分を投影部２９０Ａとし、投影部２９０Ａとは異なるフィルタ２９０の部分を他の部２９０Ｂとする。そうすると、他の部２９０Ｂにおける貫通孔の開口率は、投影部２９０Ａにおける貫通孔の開口率と比して高くなっている。換言すれば、フィルタ２９０の投影部２９０Ａの流動抵抗は、フィルタ２９０において投影部２９０Ａと異なる他の部２９０Ｂの流動抵抗と比して大きくなっている。
【０１２５】
具体的には、他の部２９０Ｂから最も離れた投影部２９０Ａの一端（図中Ｌ）から、投影部２９０Ａから最も離れた他の部２９０Ｂの他端（図中Ｍ）まで、貫通孔の開口率は、徐々に高くなっている。つまり、他の部９０Ｂのフィルタ９０の開口率は、投影部９０Ａから離れる程高くなっている。この開口率については、１個の貫通孔の開口面積を変えることで変えられている。
【０１２６】
ここで、「開口率」とは、単位流路面積当たりの開口面積である。
【０１２７】
これにより、集塵機構２８０によれば、他の部２９０Ｂにおける貫通孔の開口率と、投影部２９０Ｂにおける貫通孔の開口率とが同様の場合と比して、フィルタの交換頻度が少なくなる。
【０１２８】
また、集塵機構２８０によれば、貫通孔の開口率が、投影部２９０Ａからの距離に係わらず一定の場合と比して、フィルタの交換頻度が少なくなる。
【０１２９】
なお、第５実施形態の画像形成装置の作用については、第１実施形態の作用と同様である。
【０１３０】
＜第６実施形態＞
次に、本発明の第６実施形態に係る集塵機構、及び画像形成装置の一例について図１５に従って説明する。なお、第６実施形態については、第１実施形態と異なる部分を主に説明する。
【０１３１】
図１５に示されるように、第６実施形態に係る集塵機構３３０の第二流路部材３６０には、第一流路部材１０２の流出口１０２Ｂからの空気が流入する流入口３６０Ａと、空気を流出する流出口３６０Ｂとが形成されている。そして、装置奥行方向から見て、流出口３６０Ｂは、流入口３６０Ａと比して、装置幅方向の一方側に縮小されている。さらに、装置奥行方向から見て、流出口３６０Ｂは、第一流路部材１０２の流入口１０２Ａと比して、装置幅方向の他方向に拡張されている。流入口３６０Ａは、入口の一例であり、流出口３６０Ｂは、出口の一例である。
【０１３２】
そして、第一流路部材１０２の流入口１０２Ａと、第二流路部材３６０の流出口３６０Ｂとの間に配置されたフィルタ９０の中間部９０Ｃの流動抵抗が、中間部９０Ｃとは異なる部分９０Ｄの流動抵抗と比して大きくなっている。
【０１３３】
ここで、「中間部９０Ｃ」とは、第一流路部材１０２の流入口１０２Ａの各辺と、第二流路部材３６０の流出口３６０Ｂの各辺とを繋いだ直線の内部に配置されているフィルタ９０の部分である。
【０１３４】
また、排出ファン３９８は、第二流路部材３６０の流出口３６０Ｂに配置されており、装置本体１０Ａの壁板３３８に形成された貫通孔３３８Ａの縁部に取り付けられている。この第６実施形態の作用については、第１実施形態の作用と同様である。
【０１３５】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、フィルタ９０、１４０、２４０の流動抵抗を段階的に変えたが、連続的に変えてもよい。
【０１３６】
また、上記第１実施形態では、フィルタ９０における折り曲げ間隔を変えることで、フィルタ９０の流動抵抗が、フィルタ９０の投影部９０Ａから離れる程小さくなったが、フィルタの厚さを変えることで、フィルタの流動抵抗を変えてもよい。
【０１３７】
また、上記第４実施形態では、空気流れ方向から見て、フィルタ２４０を第二ダクト８６に対して装置幅方向の両側に広げたが、フィルタを第二ダクトに対して装置上下方向に広げてもよい。
【符号の説明】
【０１３８】
１０        画像形成装置
１０Ａ            装置本体
８０        集塵機構
８６        第二ダクト（ダクトの一例）
９０        フィルタ
９０Ａ       投影部
９０Ｂ            他の部
９０Ｃ            中間部
９０Ｄ            他の部
１０２            第一流路部材
１０２Ａ    流入口
１０２Ｂ    流出口
１１０             第二流路部材
１１０Ａ    流入口（入口の一例）
１１０Ｂ    流出口（出口の一例）
１３０             集塵機構
１４０             フィルタ
１４０Ａ    投影部
１４０Ｂ    他の部
１８０             集塵機構
１８２             中間部材
２３０             集塵機構
２４０        フィルタ
２５２             第一流路部材
２５２Ａ    流入口
２５２Ｂ    流出口
２６０             第二流路部材
２６０Ａ    流入口（入口の一例）
２６０Ｂ    流出口（出口の一例）
２８０             集塵機構
２９０             フィルタ
２９０Ａ    投影部
３３０             集塵機構
３６０             第二流路部材
３６０Ａ    流入口
３６０Ｂ    流出口
【図１】
2019013867.tif 000003
【図２】
2019013867.tif 000004
【図３】
2019013867.tif 000005
【図４】
2019013867.tif 000006
【図５】
2019013867.tif 000007
【図６】
2019013867.tif 000008
【図７】
2019013867.tif 000009
【図８】
2019013867.tif 000010
【図９】
2019013867.tif 000011
【図１０】
2019013867.tif 000012
【図１１】
2019013867.tif 000013
【図１２】
2019013867.tif 000014
【図１３】
2019013867.tif 000015
【図１４】
2019013867.tif 000016
【図１５】
2019013867.tif 000017